(57)【特許請求の範囲】
【請求項１】
交換局（４０）に接続された、ＵＫ０インターフェース（２０、２２）を有する少なくとも１つの接続回線（３０、３２）の故障を中央施設（１２０）に信号で知らせる方法であって、
前記交換局から、前記少なくとも１つの接続回線を永続的に活動化するステップと、
対応する接続回線のＵＫ０インターフェース内にループされる監視装置（７０、７２）を使用して、前記少なくとも１つの接続回線を監視するステップと、
前記監視装置によって検出された、監視すべき前記少なくとも１つの接続回線の故障に応答して、他の接続回線（１１０）を介して中央施設（１２０）への接続を確立するステップと、
故障メッセージおよび／または接続回線に関する情報の項目を前記中央施設に送信するステップと、
前記故障メッセージおよび／または接続回線に関する情報の項目を前記中央施設に送信した後に、前記中央施設または他の外部端末装置で、前記他の接続回線を介して制御可能スイッチング・マトリックス（９０）への第１接続セットアップを開始するステップと、
前記他の接続回線に接続される測定装置（１００）を前記対応する接続回線の監視装置に接続するように、前記接続回線に関する情報の項目に応じて前記スイッチング・マトリックスを制御するステップと、
前記接続を解放するステップと、
妨害された接続回線の状態を測定および／または記録し、かつそれを中央施設または他の外部端末装置に送信する前記測定装置への前記他の接続回線を介して、前記中央施設または前記他の外部端末装置で第２接続セットアップを開始するステップとを特徴とする方法。
【請求項２】
前記監視装置が、前記交換局の近くで、前記対応する接続回線のＵＫ０インターフェース内にループされることを特徴とする請求項１に記載の方法。
【請求項３】
前記監視すべき少なくとも１つの接続回線と前記他の接続回線とは、それぞれＩＳＤＮ基本アクセスであることを特徴とする請求項１または２に記載の方法。
【請求項４】
前記測定装置は、Ｄ、Ｂ１、またはＢ２チャネル・プロトコルを作成し、
前記接続回線の各々が、前記監視装置内に含まれるＵＫ０タップを介して前記スイッチング・マトリックスに接続されることを特徴とする請求項３に記載の方法。
【請求項５】
交換局（４０）に接続された、ＵＫ０インターフェース（２０、２２）を有する少なくとも１つの接続回線（３０、３２）を監視する監視システムであって、
前記交換局に接続された各接続回線のＵＫ０インターフェース内にループされる、前記接続回線を監視する監視装置（７０、７２）と、
前記監視装置の各々が接続する、故障メッセージおよび／または接続回線に関する情報の項目を生成する装置（１５０）とを含み、前記故障メッセージおよび／または接続回線に関する情報の項目を生成する装置は、他の接続回線（１１０）を介して中央施設（１２０）への接続を確立し、前記故障メッセージおよび／または接続回線に関する情報の項目を前記中央施設に送信し、
少なくとも１つの前記監視装置に接続された測定装置（１００）を含み、前記測定装置が、前記他の接続回線に接続され、前記監視装置に関連する妨害された接続回線の状態を測定および／または記録し、それを前記中央施設または前記他の外部装置に送信し、さらに、
前記監視装置と前記測定装置との間に接続されたスイッチング・マトリックス（９０）と、
前記他の接続回線と前記スイッチング・マトリックスとに接続されたリモート制御装置（１３０）とを含み、前記リモート制御装置は、前記中央施設または他の外部装置によって前記他の接続回線を介してダイアルアップされ、前記スイッチング・マトリックスを制御することを特徴とする監視システム。
【請求項６】
前記監視装置の各々は、検出器と制御可能接点（８０、８２）とを有し、前記制御可能接点は、関連する接続回線の故障をそれぞれの監視装置の検出器が検出したときに、装置（１５０）が故障メッセージおよび／または接続回線に関する情報の項目を生成するように、検出した故障を信号で知らせることを特徴とする請求項５に記載の監視システム。
【請求項７】
前記接続回線に関する情報の項目は、妨害された接続回線のアドレスを含み、
対応する監視装置に前記測定装置を接続するように、前記スイッチング・マトリックスが、アドレスに応じて、前記制御装置を介して制御されることを特徴とする請求項５に記載の監視システム。
【請求項８】
前記接続回線がＩＳＤＮ基本アクセスであり、
前記監視装置の各々がＵＫ０タップを特徴とし、前記スイッチング・マトリックスにＳ０インターフェースが接続され、そして、
前記測定装置が、ＩＳＤＮ接続のＤ、Ｂ１、またはＢ２チャネルを解析するように設計されることを特徴とする請求項５乃至７に記載の監視システム。
【発明の詳細な説明】
【０００１】
本発明は、監視すべき少なくとも１つの加入者線の故障を中央施設に信号で知らせる方法と、そのような加入者線を監視する監視システムとに関する。
【０００２】
顧客間の公衆遠隔通信ネットワークの受諾は、本質的にその動作および性能の信頼性に依存する。したがって、ネットワーク・オペレータの主な仕事は、これら遠隔通信ネットワーク内の確立された接続、または確立すべき接続を監視し、必要なら、故障の診断を実施することである。
【０００３】
ＩＳＤＮ遠隔通信ネットワークを監視する１つの可能性は、電話加入者端のＳ０インターフェースでＩＤＳＮ基本アクセスを測定し、記録することである（例えば、ｔｈｅ  ｏｐｅｒａｔｉｎｇ  ｉｎｓｔｒｕｃｔｉｏｎｓ  ｏｆ  ｔｈｅ  ＩＳＤＮ  Ｓ０  ｂａｓｉｃ  ａｃｃｅｓｓ  ｍｅａｓｕｒｉｎｇ  ａｎｄ  ｔｅｓｔｉｎｇ  ｄｅｖｉｃｅ  Ｐｅｇａｓｕｓ  ｆｒｏｍ  ｔｈｅ  Ｆｅｓｔｏ  Ｄｉｄａｃｔｉｃ  ＫＧ  ｃｏｍｐａｎｙ，Ｅｓｓｌｉｎｇｅｎ，０２／９５現在；８５ページを参照）。
【０００４】
ドイツ特許ＤＥ１９７２９０２７号には、監視すべき電話加入者とは無関係に実行することもできる、ＩＳＤＮ基本アクセスを測定し、または記録する方法が記載されている。これは、測定または記録にとって好都合な接続回線の地点でＵＫ０インターフェースをオープンすることによって達成される。オープンしたＵＫ０インターフェースにおいて、回線信号はＩＯＭ信号に変換され、ＩＯＭ信号はＳ０フレームに変換される。したがって、タップしたＳ０インターフェースのすべてのデータが、接続回線がオープンされている地点の既存のＳ０測定装置とってすでに利用可能である。
【０００５】
本発明の目的は、少なくとも１つの加入者線を連続的に監視することができ、故障が発生した場合に中央セキュリティ施設に即座に警報で知らせることができる方法および監視システムを提供することである。
【０００６】
本発明の目的は、まず第１に、請求項１の方法によって達成される。
請求項１の方法によれば、監視すべき少なくとも１つの加入者線の故障を中央施設に信号で知らせるための方法が提供される。この少なくとも１つの加入者線は、ＵＫ０インターフェースを特徴とする接続回線を介して交換局に接続される。加入者線を監視することを可能にするため、交換局は、加入者線を永続的に活動状態に保つ。すなわち、停止状態では、所定のテスト・メッセージ（キープ・アライブ、ポーリング）が、例えば１０秒ごとに交換局から加入者線に連続的に送信され、逆も同様であり、それによって接続回線の中断を常に検出することができる。この永続的活動化は、レイヤ１とも呼ぶことができる。すなわち、監視用にＵＫ０インターフェースの同期を使用することができる。監視装置は、対応する接続回線のＵＫ０インターフェース内にループされ、少なくとも１つの加入者線を監視する。このことは例えば、接続回線上に監視装置が存在することに関する、活動化中に送信されるテスト・メッセージをチェックすることによって行われる。監視すべき少なくとも１つの加入者線の故障、例えば接続回線の中断を監視装置が検出した場合、中央施設への接続は、別々の加入者線、具体的には遠隔通信ネットワークの別々の加入者線を介して確立される。その後で、故障メッセージ、および／または妨害された加入者線のアドレスまたは呼出し番号などの加入者線に関する情報の項目が、中央施設に送信される。
このようにして、加入者線を連続的に監視し、故障があった場合、故障メッセージと、妨害された加入者線のアドレスとを中央セキュリティ施設に送信することが可能となる。
【０００７】
有利な改良はサブクレームの主題である。
監視装置は、交換局の近く、すなわち同じ建物内で、それぞれの接続回線のＵＫ０インターフェース内に適切にループされる。
【０００８】
交換局に割り当てられた複数の加入者線を監視し、故障がある場合にその状態を測定および／または記録するための方法を用いることが意図される場合、初めに、故障メッセージ、および／または加入者線に関する情報の項目が中央施設に送信された後に、第１接続セットアップが、ＤＴＭＦ（多周波ダイヤリング）制御可能スイッチング・マトリックスであることが好ましい別々の加入者線を介して、交換局または他の外部端末装置で開始される。その結果、別々の加入者線に接続される測定装置を、監視装置内に含まれるそれぞれの加入者線のＵＫ０タップを介して、妨害された加入者線に接続することができるように、スイッチング・マトリックスが加入者線に関する情報の項目に応じてプログラムされる。その結果、接続が再び解放される。その後、第２接続セットアップが、測定装置への別々の加入者線を介して、中央施設または他の外部端末装置で開始され、次いで測定装置は、妨害された加入者線の状態を測定および／または記録し、既存の接続を介して結果を中央施設または外部端末装置に送信する。
【０００９】
監視すべき加入者線および別々の加入者線は、ＩＳＤＮ基本アクセスであることが好ましい。この場合、測定装置は、ＩＳＤＮ基本アクセスのＳ０インターフェースのＤチャネル・プロトコルを作成するように設計される。しかし、このために、各接続回線をＵＫ０タップを介してスイッチング・マトリックスに接続することが必要となる。各監視装置のＵＫ０タップにより、接続回線のＵＫ０インターフェースでタップしたデータを、測定装置によって処理することのできるＳ０フレームに変換することが実現される。このようなＵＫ０タップは、ドイツ特許ＤＥ１９７２９０７２号により周知である。
【００１０】
第２に、本発明のこの目的は、請求項７の特徴によって達成される。
請求項７の特徴によれば、ＵＫ０インターフェースを特徴とする接続回線を介して交換局に接続される少なくとも１つの加入者線を監視する監視システムが実現される。さらに、交換局に接続される監視すべき各接続回線のＵＫ０インターフェース内に、関連する加入者線を監視する装置がループされる。各監視装置は、故障メッセージ、および／または加入者線に関する情報の項目を生成する装置に接続可能であり、故障メッセージ、および／または加入者線に関する情報の項目を生成する装置は、別々の加入者線に接続されている。この別々の加入者線を介して、故障メッセージ、および／または加入者線に関する情報の項目を生成する装置が中央施設への接続を確立し、故障メッセージ、および／または加入者線に関する情報の項目を送信することが可能となる。故障メッセージ、および／または加入者線に関する情報の項目を生成する装置は、例えばｅｆｆｅｆｆ  ｃｏｍｐａｎｙのＤＳ７５００装置でよい。
中央施設を除き、すべての装置およびユニットを交換局の建物内に収容することができる。
【００１１】
有利な改良はサブクレームの主題である。
有利には、各監視装置は、検出器と、検出器が関連する加入者線の故障を検出したときに、故障メッセージ、および／または加入者線に関する情報の項目を生成する装置にそれぞれの監視装置を接続する制御可能交換機とを有する。このようにして、故障メッセージ、および／または加入者線に関する情報の項目を生成する装置は、妨害された加入者線についての故障メッセージ、および／または加入者線に関する情報の項目を生成し、それを中央施設に送信する。
【００１２】
少なくとも１つの加入者線を測定および／または記録することを可能とするために、少なくとも１つの監視装置は、この別々の加入者線に接続される測定装置に接続可能である。したがって、監視装置を介してタップされる、妨害された加入者接続の状態を、測定装置が測定および／または記録し、公衆ネットワークを介してその結果を中央施設または他の外部装置に送信することが可能となる。
【００１３】
複数の加入者線の監視を可能にするために、スイッチング・マトリックスが、監視装置と測定装置との間に接続される。さらに、ＤＴＭＦリモート制御装置がこの別々の加入者線と、スイッチング・マトリックスとに接続される。このＤＴＭＦリモート制御装置は、スイッチング・マトリックスを制御する目的で、中央施設または他の外部装置からこの別々の加入者線を介してダイアルアップすることができる。
【００１４】
加入者線に関する情報の項目が、妨害された加入者線のアドレスを含む場合、対応するＵＫ０タップに測定装置を接続することができるように、アドレスに応じて、ＤＴＭＦ制御装置を介してスイッチング・マトリックスをプログラムすることができる。
【００１５】
加入者線がＩＳＤＮ基本アクセスである場合、各監視装置は、ＵＫ０タップを特徴とし、監視装置のＳ０インターフェースは、スイッチング・マトリックスに接続される。このようにして、妨害されたＩＳＤＮ基本アクセスの、タップされるＳ０インターフェースをスイッチング・マトリックスを介してタップし、測定装置に接続することができる。測定装置は、ＩＳＤＮ接続のＤ、Ｂ１、またはＢ２チャネルを解析することができる。
【００１６】
さらに、ここで述べたＩＳＤＮ接続に加えて、ＵＫ０インターフェースを備える標準固定回線および直接データ接続を監視することも可能であることについて触れておく。
【００１７】
以下では、添付の図面と共に、例示的実施形態に照らして本発明をより詳細に説明する。
【００１８】
この単一の図は、全体を１０で示し、接続回線３０のオープンされたＵＫ０インターフェース２０の所の監視装置７０と、接続回線３２のオープンされたＵＫ０インターフェース２２の所の監視装置７２とを介してデジタル交換局４０の近くに接続される監視システムを示す。２つの接続回線だけがデジタル交換局４０に接続されているが、複数の接続回線をデジタル交換局４０と、監視システム１０とに接続できることは明らかである。
【００１９】
加入者端では、接続回線３０および３２が、それぞれネットワーク終端装置５０および５２を有するＩＳＤＮ基本アクセスの所で終端する。各ネットワーク終端装置５０、５２は、それぞれＩＳＤＮ電話６０または６２に接続される。この点で、監視システム１０は、ＩＳＤＮ基本アクセスを特徴とする接続回線の監視だけでなく、標準固定回線および直接データ接続の監視にも適していることについて触れておく。
【００２０】
監視装置７０および７２はそれぞれ、接続回線３０または３２上の中断を故障として検出することができる検出器（図示せず）を含む。さらに、各監視装置７０、７２は、それぞれポテンシャル・フリー接点８０および８２を特徴とし、このポテンシャル・フリー接点８０および８２を介して、対応する監視装置（７０、７２）によって検出される、関連する加入者線の故障を、故障メッセージ、および／または加入者線に関する情報の項目を生成する装置１５０に信号で知らせることができる。以下では、故障メッセージ、および／または加入者線に関する情報の項目を生成する装置１５０を、略して信号装置と呼ぶ。さらに、各監視装置７０、７２は、本質的に周知のＵＫ０タップ（図示せず）を有し、そのＵＫ０タップを介して、監視装置をスイッチング・マトリックス９０に接続することができる。ＵＫ０タップの動作モードは、ドイツ特許ＤＥ１９７２９０２７により周知である。この特許は、参照により本明細書に含まれる。ＵＫ０タップにより、ＵＫ０インターフェース２０および２２でタップすべき信号をＳ０フレームに変換することが実現され、そのＳ０フレームを、スイッチング・マトリックス９０に接続された従来のＳ０測定装置１００で処理することができる。以下でさらに詳細に説明するように、各ＩＳＤＮ基本アクセス、具体的にはＩＳＤＮ接続のＤチャネルの状態は、測定装置１００を使用して測定し、記録することができる。さらに、測定装置１００はＩＳＤＮ基本アクセス１１０に接続され、そのＩＳＤＮ基本アクセス１１０を介して、中央施設１２０、またはＩＳＤＮカードを備えた任意の端末装置に公衆ネットワークを介して接続を確立することができる。このようにして、以下でさらに詳細に説明するように、測定装置１００の測定結果およびログを中央施設１２０に送信することが可能となる。
【００２１】
例えばＤＴＭＦリモート制御装置１３０も、場合によっては従来の端末アダプタ１４０を介してＩＳＤＮ基本アクセス１１０に接続される。
【００２２】
出力側では、ＤＴＭＦリモート制御装置１３０がスイッチング・マトリックス９０に接続される。ＤＴＭＦリモート制御装置１３０によるスイッチング・マトリックス９０の制御を、例えば中央施設１２０を介して行うことができる。このため、中央施設は、多周波ダイヤリング方法に従って信号を生成することができなければならない。これに適した方法がドイツ特許１９９３４６２２号に開示されている。この特許も参照により本明細書に含まれる。
【００２３】
以下では、監視システム１０の動作モードをより詳細に説明する。最初に、接続回線３０および３２の２つのＩＳＤＮ基本アクセスが永続的活動化によって連続的に監視されると仮定する。起動される永続的活動化により、停止状態でも、デジタル交換局４０と、ＩＳＤＮ電話６０および６２との間で、約１０秒ごとに所定のテスト・メッセージが伝送される。監視装置７０および７２がこれらのテスト・メッセージの存在を検出する限り、監視システム１０は、いわゆる「監視モード」にある。しかし、接続回線３０または３２の一方でテスト・メッセージが検出されなくなると、すなわち接続回線の中断が検出されるとすぐに、監視システム１０は、この接続回線に対して信号および測定モードに入る。この状況で、例えば接続回線３０が中断されたと仮定する。接続回線３０の中断に応答して、監視装置７０の検出器は、ポテンシャル・フリー接点８０を閉じ、その結果、接続回線３０のＩＳＤＮ基本アクセスの故障が、信号装置１５０に信号で知らされる。信号装置１５０は、ポテンシャル・フリー接点８０の活動化により、妨害されたＩＳＤＮ基本アクセスと、その呼出し番号とを認識する。その後、信号装置１５０は、ＩＳＤＮ基本アクセス１１０を介して中央施設１２０への接続を確立し、対応する故障メッセージ、ならびに妨害されたＩＳＤＮ基本アクセスの呼出し番号を中央施設１２０に送信する。信号装置１５０と中央施設１２０との間の接続は、故障メッセージおよび呼出し番号を送信した後、解放することができる。次に、中央施設１２０の監視員は、ＩＳＤＮ基本アクセス１１０を介してＤＴＭＦリモート制御装置１３０への接続セットアップを開始し、妨害されたＩＳＤＮ基本アクセスの呼出し番号を中央施設１２０で入力し、この呼出し番号が、多周波トーンによってＤＴＭＦリモート制御装置１３０に送信される。受信した、妨害されたＩＳＤＮ基本アクセスの呼出し番号に応答して、ＤＴＭＦリモート制御装置１３０は、測定装置１００が対応する加入者線をＵＫ０タップを介して測定および／または記録することができるようにスイッチング・マトリックス９０を制御する。その後で、監視員はＤＴＭＦリモート制御装置１３０への接続を再び解放し、ＩＳＤＮ基本アクセス１１０を介して測定装置１００への第２接続セットアップを開始する。次に測定装置１００が、対応する監視装置（７０、７２）のＵＫ０タップに接続され、その後で、妨害されたＩＳＤＮ基本アクセスのＤ、Ｂ１、またはＢ２チャネルを解析し、記録することができる。妨害されたＩＳＤＮ基本アクセスの現在の状態、結果、およびログは、測定装置１００によってＩＳＤＮ基本アクセス１１０を介して中央施設１２０に送信することができ、監視員は、中央施設１２０でディスプレイ上にそれを表示することができる。このようにして、監視員は、妨害されたＩＳＤＮ基本アクセスの顧客に対してサービス技術者を派遣することが必要かどうか、またはリモート保守が可能かどうかを即座に判断することができる。故障を解消した後、監視システム１０は、接続回線３０に関して監視モードにリセットされる。すなわち、監視装置７０のポテンシャル・フリー接点８０が再び開く。
【００２４】
この例では、測定装置１００だけがスイッチング・マトリックス９０に接続され、１つのＩＳＤＮ基本アクセス１１０だけが使用されているが、複数の測定装置１００をスイッチング・マトリックス９０に接続し、複数のＩＳＤＮ基本アクセスを介して中央施設１２０に測定装置を接続することも考えられる。
【００２５】
以上で説明した監視システム１０のおかげで、１つまたは複数の加入者線を連続的に監視し、故障があった場合、故障メッセージおよび妨害された加入者線のアドレスを中央施設に送信することが可能となる。さらに、中央施設から公衆ネットワークを介して監視システムに様々な方法で直接的に影響を及ぼすことが可能である。例えば、妨害されたＩＳＤＮ基本アクセスに対して、交換局４０で転送を活動化させることが考えられる。
【図面の簡単な説明】
【図１】  図は本発明に係る監視方法及び監視システムの例示的実施形態を説明するための回路構成を示すブロックダイヤグラムである。
【符号の説明】
１０  監視システム
２０、２２  ＵＫ０インターフェース
３０、３２  接続回線
４０  デジタル交換局
５０、５２  ネットワーク終端装置
６０、６２  ＩＳＤＮ電話
７０、７２  監視装置
８０、８２  ポテンシャル・フリー接点
９０  スイッチング・マトリックス
１００  Ｓ０測定装置
１１０  ＩＳＤＮ基本アクセス
１２０  中央施設
１３０  ＤＴＭＦリモート制御装置
１４０  端末アダプタ
１５０  故障メッセージ、および／または加入者線に関する情報の項目を生成する装置、信号装置
【図１】
0004414628.tif 000002